(57)【要約】【課題】熱供給システムに流れる電流がコンセントの定格電流を超える事態の発生を適切に抑制することができる技術を提供する。【解決手段】熱供給システムは、第１ユニットと、第２ユニットと、制御装置と、を備える。第１ユニットは、熱媒を加熱するヒートポンプと、コンセントに接続される第１電源系統と、を有している。第２ユニットは、熱媒を貯えるタンク、及び、熱媒を加熱する燃焼機、のうちの少なくとも一方と、コンセントに接続される第２電源系統と、を有している。制御装置は、ヒートポンプの動作中に圧縮機の回転数を増加させるべき状況において、回転数を増加させた場合に第１ユニットの使用電流値であるユニット使用電流値が第１閾値以上になると予測される場合に、回転数を維持する維持制御を実行する。第１閾値は、第１ユニットと第２ユニットとの合計使用電流値であるシステム使用電流値の上限値である第１上限値よりも小さい値である。【選択図】図３
2019132458.tif 000002
【特許請求の範囲】
【請求項１】
電源から電力供給を受けるコンセントを有する建物に設置され、前記コンセントに接続されて動作する熱供給システムであって、
第１ユニットと、
第２ユニットと、
制御装置と、を備え、
前記第１ユニットは、
圧縮機と、凝縮器と、減圧機構と、蒸発器とを備えて熱媒を加熱するヒートポンプと、
前記コンセントに接続される第１電源系統と、を有しており、
前記第２ユニットは、
熱媒を貯えるタンク、及び、熱媒を加熱する燃焼機、のうちの少なくとも一方と、
前記コンセントに接続される第２電源系統と、を有しており、
前記制御装置は、
前記ヒートポンプの動作中に前記圧縮機の回転数を増加させるべき状況において、前記回転数を増加させた場合に前記第１ユニットの使用電流値であるユニット使用電流値が第１閾値以上になると予測される場合に、前記回転数を維持する維持制御を実行し、
前記第１閾値は、前記第１ユニットと前記第２ユニットとの合計使用電流値であるシステム使用電流値の上限値である第１上限値よりも小さい値である、
熱供給システム。
【請求項２】
前記制御装置は、さらに、前記ヒートポンプの動作中における前記ユニット使用電流値が前記第１閾値以上である場合に、前記回転数を減少させる減少制御を実行する、
請求項１に記載の熱供給システム。
【請求項３】
前記制御装置は、さらに、前記ヒートポンプの動作中における前記ユニット使用電流値が第２閾値以上である場合に、前記圧縮機を停止させる停止制御を実行し、
前記第２閾値は、前記第１上限値よりも小さい値であるとともに前記第１閾値よりも大きい値である、
請求項１又は２に記載の熱供給システム。
【請求項４】
前記制御装置は、前記第１ユニットの各部の温度と、前記第１ユニットの要素機器の動作状態と、のうちの少なくとも一方の情報を利用して、前記回転数を増加させるべき状況で前記回転数を増加させた場合における前記ユニット使用電流値を予測する、
請求項１から３のいずれか一項に記載の熱供給システム。
【請求項５】
前記建物は、前記電源と接続され、前記電源から供給される電力を分岐させるための１個以上の分岐回路を有しており、
前記コンセントは、前記１個以上の分岐回路のうちの特定分岐回路と接続されており、前記特定分岐回路を介して前記電源から電力供給を受けるものであり、
前記制御装置は、さらに、
前記特定分岐回路を介して電力供給を受ける全機器の合計使用電流値の上限値である全機器上限値から、前記第１ユニット及び前記第２ユニットを除いたシステム外機器の合計使用電流値を除いた値である第２上限値を算出し、
算出された前記第２上限値が前記第１上限値以下である場合には、前記システム使用電流値が前記第２上限値より低くなるように、前記圧縮機を動作させ、
算出された前記第２上限値が前記第１上限値より大きい場合には、前記システム使用電流値が前記第１上限値より低くなるように、前記圧縮機を動作させる、
請求項１から４のいずれか一項に記載の熱供給システム。
【発明の詳細な説明】
【技術分野】
【０００１】
本明細書で開示する技術は、熱供給システムに関する。
【背景技術】
【０００２】
特許文献１には、熱媒を加熱するヒートポンプと、ヒートポンプで加熱された熱媒を貯えるタンクと、タンク内の熱媒を熱利用箇所に供給する供給路と、燃料を燃焼させて発生した熱を用いて熱媒を加熱する燃焼機を備える熱供給システムが開示されている。これにより、ヒートポンプを利用して貯えたタンク内の熱が不足する場合に、燃焼機を動作させて熱を補うことを可能にしている。
【先行技術文献】
【特許文献】
【０００３】
【特許文献１】特開２０１１−１５３７７９号公報
【発明の概要】
【発明が解決しようとする課題】
【０００４】
この種の熱供給システムは、ヒートポンプを含む第１ユニットと、タンクと燃焼機と供給路とを含む第２ユニットと、の二つのユニットを組み合わせることによって構成される場合がある。その場合、第１及び第２ユニットは、それぞれ個別に電源から電力を供給するための電源系統を有している。しかしながら、第１ユニットの電源系統と第２ユニットの電源系統とを共通のコンセント（例えば屋外のコンセント）に接続して電力供給を行うと、第１ユニットと第２ユニットが同時に動作する際に、当該コンセントの定格電流を超えるおそれがある。
【０００５】
本明細書では、熱供給システムに流れる電流がコンセントの定格電流を超える事態の発生を適切に抑制することができる技術を提供する。
【課題を解決するための手段】
【０００６】
本明細書は、電源から電力供給を受けるコンセントを有する建物に設置され、前記コンセントに接続されて動作する熱供給システムを開示する。前記熱供給システムは、第１ユニットと、第２ユニットと、制御装置と、を備える。前記第１ユニットは、圧縮機と、凝縮器と、減圧機構と、蒸発器とを備えて熱媒を加熱するヒートポンプと、前記コンセントに接続される第１電源系統と、を有している。前記第２ユニットは、熱媒を貯えるタンク、及び、熱媒を加熱する燃焼機、のうちの少なくとも一方と、前記コンセントに接続される第２電源系統と、を有している。前記制御装置は、前記ヒートポンプの動作中に前記圧縮機の回転数を増加させるべき状況において、前記回転数を増加させた場合に前記第１ユニットの使用電流値であるユニット使用電流値が第１閾値以上になると予測される場合に、前記回転数を維持する維持制御を実行する。前記第１閾値は、前記第１ユニットと前記第２ユニットとの合計使用電流値であるシステム使用電流値の上限値である第１上限値よりも小さい値である。
【０００７】
この構成によると、制御装置は、例えば、ヒートポンプの加熱能力を上昇させるべき状況など、ヒートポンプの圧縮機の回転数を増加させるべき状況において、回転数を増加させた場合にユニット使用電流値が第１閾値以上になると予測される場合に、回転数を増加させずに維持する維持制御を実行する。一般的に、圧縮機は、その回転数が増加すると、ヒートポンプの使用電流値がそれに伴って上昇する。そのため、制御装置が維持制御を実行することにより、ユニット使用電流値の上昇を抑制することができる。その結果、システム使用電流値が第１上限値を超えることも抑制することができる。即ち、上記の構成によると、第１閾値及び第１上限値を適切に設定しておくことにより、熱供給システムに流れる電流がコンセントの定格電流を超える事態の発生を適切に抑制することができる。
【０００８】
前記制御装置は、さらに、前記ヒートポンプの動作中における前記ユニット使用電流値が前記第１閾値以上である場合に、前記回転数を減少させる減少制御を実行してもよい。
【０００９】
この構成によると、制御装置は、ユニット使用電流値が第１閾値以上である場合に、ヒートポンプの圧縮機の回転数を減少させる。圧縮機の回転数を減少させることにより、ヒートポンプの使用電流値を減少させることができる。その結果、ユニット使用電流値を第１閾値より低くすることができ、それに伴って、システム使用電流値を第１上限値より低くすることもできる。即ち、上記の構成によると、ユニット使用電流値が第１閾値以上になった場合であっても、熱供給システムに流れる電流がコンセントの定格電流を超える事態の発生を適切に抑制することができる。
【００１０】
前記制御装置は、さらに、前記ヒートポンプの動作中における前記ユニット使用電流値が第２閾値以上である場合に、前記圧縮機を停止させる停止制御を実行してもよい。前記第２閾値は、前記第１上限値よりも小さい値であるとともに前記第１閾値よりも大きい値であってもよい。
【００１１】
この構成によると、制御装置は、ユニット使用電流値が第２閾値以上である場合に、ヒートポンプの圧縮機を停止させる。圧縮機を停止させることにより、システム使用電流値が第１上限値を上回る事態の発生を抑制することができる。即ち、上記の構成によると、第２閾値及び第１上限値を適切に設定しておくことにより、ユニット使用電流値が第２閾値以上になった場合であっても、熱供給システムに流れる電流がコンセントの定格電流を超える事態の発生を適切に抑制することができる。
【００１２】
前記制御装置は、前記第１ユニットの各部の温度と、前記第１ユニットの要素機器の動作状態と、のうちの少なくとも一方の情報を利用して、前記回転数を増加させるべき状況で前記回転数を増加させた場合における前記ユニット使用電流値を予測してもよい。
【００１３】
上記の「第１ユニットの各部の温度」は、例えば、ヒートポンプの圧縮機に導入される冷媒の温度、圧縮機から導出される冷媒の温度、蒸発器に導入される冷媒の温度、凝縮器を通過する冷媒の温度、外気温、ヒートポンプで加熱される前の熱媒の温度、ヒートポンプで加熱された後の熱媒の温度等を含んでもよい。また、上記の「第１ユニットの要素機器」は、例えば、ヒートポンプの圧縮機、ヒートポンプの膨張弁、ヒートポンプのファン、ヒートポンプで加熱するための熱媒を移動させるための循環ポンプ等を含んでもよい。
【００１４】
上記の構成によると、制御装置は、回転数を増加させるべき状況で回転数を増加させた場合におけるユニット使用電流値を適切に予測することができる。適切に予測されたユニット使用電流値に基づいて、熱供給システムに流れる電流がコンセントの定格電流を超える事態の発生を抑制することができる。
【００１５】
前記建物は、前記電源と接続され、前記電源から供給される電力を分岐させるための１個以上の分岐回路を有していてもよい。前記コンセントは、前記１個以上の分岐回路のうちの特定分岐回路と接続されており、前記特定分岐回路を介して前記電源から電力供給を受けるものであってもよい。前記制御装置は、さらに、前記特定分岐回路を介して電力供給を受ける全機器の合計使用電流値の上限値である全機器上限値から、前記第１ユニット及び前記第２ユニットを除いたシステム外機器の合計使用電流値を除いた値である第２上限値を算出してもよい。前記制御装置は、さらに、算出された前記第２上限値が前記第１上限値以下である場合には、前記システム使用電流値が前記第２上限値より低くなるように、前記圧縮機を動作させ、算出された前記第２上限値が前記第１上限値より大きい場合には、前記システム使用電流値が前記第１上限値より低くなるように、前記圧縮機を動作させてもよい。
【００１６】
この構成によると、制御装置は、システム使用電流値が、全機器上限値からシステム外機器の合計使用電流値を除いた値である第２上限値以上になることを抑制しながら、第１ユニット及び第２ユニットを動作させることができる。これにより、上記の構成によると、全機器上限値を適切に設定しておくことにより、全機器の使用電流値が全機器上限値を超えること、及び、システム使用電流値が第１上限値又は第２上限値以上になることを抑制しながら、全機器の使用電流値を制御することができる。従って、システム外機器の動作状態に応じて、熱供給システムを動作させ、特定分岐回路に流れる全機器の合計使用電流が特定分岐回路の定格電流を超える事態の発生を適切に抑制することができる。
【図面の簡単な説明】
【００１７】
【図１】実施例に係る給湯システム２が設置される建物の概要を模式的に示す図。
【図２】実施例に係る給湯システム２の構成を模式的に示す図。
【図３】第１実施例の電流値制御処理を示すフローチャート
【図４】第２実施例の電流値制御処理を示すフローチャート。
【図５】第３実施例の電流値制御処理を示すフローチャート。
【図６】第４実施例の電流値制御処理を示すフローチャート。
【図７】第４実施例の予測電流値差算出処理を示すフローチャート。
【図８】第４実施例の温度補正処理を示すフローチャート。
【図９】第５実施例の電流値制御処理を示すフローチャート。
【図１０】第５実施例の閾値補正処理を示すフローチャート。
【図１１】第６実施例の電流値制御処理を示すフローチャート。
【発明を実施するための形態】
【００１８】
（第１実施例）
図１に示すように、熱供給システムの一実施例に係る給湯システム２は、例えば、家屋等の建物５００に設置され、建物５００の温水利用箇所（熱利用箇所の例）に温水（熱媒の例）を供給するために利用されるシステムである。給湯システム２は、ヒートポンプユニット４と、タンクユニット６と、燃焼機ユニット８とを備えている。図１に示すように、ヒートポンプユニット４、タンクユニット６、及び、燃焼機ユニット８は、いずれも建物５００の外（即ち屋外）に設けられている。
【００１９】
建物５００は、分電盤１１と、屋外コンセント１６と、屋内コンセント１８とを備えている。
【００２０】
分電盤１１は、商用電源１０に接続されており、商用電源１０から建物５００内外の各機器に電力を供給する。分電盤１１は、１個の主幹ブレーカー１２と、複数個の分岐ブレーカー１４ａ、１４ｂ、１４ｃを備える。主幹ブレーカー１２は、商用電源１０に接続されている。複数個の分岐ブレーカー１４ａ〜１４ｃは、それぞれ、主幹ブレーカー１２に接続されている。図１の例では、分岐ブレーカー１４ａには、配線２４を介して屋外コンセント１６が接続されているとともに、配線２６を介して屋内コンセント１８が接続されている。また、分岐ブレーカー１４ｂ、１４ｃには、それぞれ、配線２７、２８を介して図示しないコンセント及び端末機器が接続されている。
【００２１】
分岐ブレーカー１４ａによって分岐される分岐回路は、屋外、及び、屋内の一部（例えば洗面所等）の端末機器（図１の端末機器１９、ヒートポンプユニット４、タンクユニット６、燃焼機ユニット８）に電力を供給するための回路である。また、分岐ブレーカー１４ｂによって分岐される分岐回路は、屋内の他の一部（例えばリビング等）の端末機器（例えばエアコン、テレビ等）に電力を供給するための回路であり、分岐ブレーカー１４ｃによって分岐される分岐回路は、屋内のさらに他の一部（例えば台所等）の端末機器（例えば電子レンジ、電気ポット等）に電力を供給するための回路である。
【００２２】
主幹ブレーカー１２は、商用電源１０から分岐ブレーカー１４ａ〜１４ｃへ流れる電流が所定の閾値（例えば６０Ａ）を超えた場合にその電流を遮断する。また、分岐ブレーカー１４ａは、配線２４、２６へ流れる電流が所定の閾値（例えば２０Ａ）を超えた場合にその電流を遮断する。同様に、分岐ブレーカー１４ｂ、１４ｃも、それぞれ、配線２７、２８に流れる電流が所定の閾値（例えば２０Ａ）を超えた場合にその電流を遮断する。
【００２３】
屋内コンセント１８は、建物５００内の一部（例えば洗面所等）に設けられたコンセントである。屋内コンセント１８には、屋内で使用される端末機器１９が接続されている。端末機器１９は、給湯システム２に含まれない機器であり、例えばドライヤー等である。図１では、屋内コンセント１８には１個の端末機器１９のみが接続されている様子を示しているが、実際には、屋内コンセント１８には複数個の機器が接続されていてもよい。
【００２４】
屋外コンセント１６は、建物５００外に設けられたコンセントである。屋外コンセント１６には、ヒートポンプユニット４の一部である配線２０が接続されている。さらに、屋外コンセント１６には、タンクユニット６の一部である配線２２も接続されている。また、タンクユニット６と燃焼機ユニット８は、配線２３を介して接続されている。これにより、屋外コンセント１６から、配線２０を介してヒートポンプユニット４の各要素機器に電力が供給される。また、屋外コンセント１６から、配線２２を介してタンクユニット６の各要素機器に電力が供給されるとともに、タンクユニット６及び配線２３を介して、燃焼機ユニット８の各要素機器にも電力が供給される。図１では、屋外コンセント１６には配線２２を介してタンクユニット６が接続されている様子を示しているが、他の例では、屋外コンセント１６には、配線２２を介して燃焼機ユニット８が接続されていてもよい。
【００２５】
（ヒートポンプユニット４の構成）
図２に示すように、ヒートポンプユニット４は、ヒートポンプ４０と、タンク水循環路７０と、循環ポンプ７２と、ヒートポンプ制御部８０と、を備える。
【００２６】
ヒートポンプ４０は、外気から吸熱して、タンク水循環路７０内の水を加熱する熱源である。ヒートポンプ４０は、冷媒（代替フロン、例えばＲ４１０Ａ等）を循環させる冷媒循環路４１と、外気と冷媒との間で熱交換を行う蒸発器４２と、蒸発器４２に外気を送風するファン４３と、冷媒を圧縮して高温高圧にする圧縮機４４と、タンク水循環路７０内の水と高温高圧の冷媒との間で熱交換を行う凝縮器４５と、熱交換を終えた後の冷媒を減圧させて低温低圧にする膨張弁４６と、を備えている。
【００２７】
タンク水循環路７０は、上流端が、タンクユニット６内のタンク１００の下部に接続されており、下流端がタンク１００の上部に接続されている。タンク水循環路７０には、循環ポンプ７２が介装されている。循環ポンプ７２は、タンク水循環路７０内の水を上流側から下流側へ送り出す。また、タンク水循環路７０は、ヒートポンプ４０の凝縮器４５を通過している。そのため、ヒートポンプ４０を作動させると（即ち、ファン４３及び圧縮機４４を作動させると）、タンク水循環路７０内の水がヒートポンプ４０の凝縮器４５で加熱される。従って、循環ポンプ７２とヒートポンプ４０とを作動させると、タンク１００の下部の水が凝縮器４５で加熱され、加熱された水がタンク１００の上部に戻される。即ち、タンク水循環路７０は、タンク１００に蓄熱するための水路である。
【００２８】
また、ヒートポンプユニット４には、８個のサーミスタ５２〜６６が設けられている。サーミスタ５２は、冷媒循環路４１の圧縮機４４の上流側に設けられ、圧縮機４４に吸い込まれる冷媒の温度（即ち圧縮機吸込温）ＴＨ１を検出する。サーミスタ５４は、冷媒循環路４１の圧縮機４４の下流側に設けられ、圧縮機４４から吐出された冷媒の温度（即ち圧縮機吐出温）ＴＨ２を検出する。サーミスタ５６は、冷媒循環路４１の膨張弁４６の上流側に設けられ、膨張弁４６に流入する冷媒の温度（即ち膨張弁流入温）ＴＨ３を検出する。サーミスタ５８は、冷媒循環路４１の蒸発器４２の上流側に設けられ、蒸発器４２に流入する冷媒の温度（即ち蒸発温）ＴＨ４を検出する。サーミスタ６０は、凝縮器４５に取り付けられ、凝縮器４５内の冷媒の温度（凝縮温）ＴＨ５を検出する。サーミスタ６２は、ヒートポンプユニット４の筐体（図示しない）に取り付けられ、外気温ＴＨ６を検出する。サーミスタ６４は、タンク水循環路７０の凝縮器４５の上流側に設けられ、タンク１００の下部から導出され、凝縮器４５を通過する前の水の温度（即ち入水温）ＴＨ７を検出する。サーミスタ６６は、タンク水循環路７０の凝縮器４５の下流側に設けられ、凝縮器４５を通過した後の水の温度（即ち出湯温）ＴＨ８を検出する。
【００２９】
ヒートポンプ制御部８０は、ヒートポンプユニット４の各要素機器と電気的に接続されており、各要素機器の動作を制御する。また、ヒートポンプ制御部８０は、タンクユニット６のタンク制御部１８０、及び、燃焼機ユニット８の燃焼機制御部２８０と相互に通信可能に設けられている。ヒートポンプ制御部８０は、ヒートポンプ４０を動作させる際に、後述の通常制御処理（図示省略）及び電流値制御処理（図３参照）を実行する。通常制御及び電流値制御処理の詳しい内容は後述する。
【００３０】
（タンクユニット６の構成）
タンクユニット６は、タンク１００と、水道水導入路１１０と、供給路１３０と、タンク制御部１８０とを備える。
【００３１】
タンク１００は、ヒートポンプ４０によって加熱された温水を貯える。タンク１００は、密閉型であり、断熱材によって外側が覆われている。タンク１００内には満水まで水が貯留されている。本実施例では、タンク１００の容量は１００Ｌである。タンク１００には、サーミスタ１０２、１０４、１０６、１０８がタンク１００の高さ方向に所定間隔で取り付けられている。各サーミスタ１０２、１０４、１０６、１０８は、その取付位置の水の温度を検出する。例えば、各サーミスタ１０２、１０４、１０６、１０８は、それぞれ、タンク１００の上部から６Ｌ、１２Ｌ、３０Ｌ、５０Ｌの位置の水の温度を検出する。
【００３２】
水道水導入路１１０は、上流端が水道水供給源１１２に接続されている。水道水導入路１１０の下流側は、第１導入路１１０ａと第２導入路１１０ｂに分岐している。第１導入路１１０ａの下流端は、タンク１００の下部に接続されている。第２導入路１１０ｂの下流端は、後述の供給路１３０の途中に接続されている。第２導入路１１０ｂの下流端と供給路１３０との接続部分には、混合弁１４０が設けられている。混合弁１４０は、供給路１３０内を流れる温水に、第２導入路１１０ｂ内の水を混合させる量を調整する。
【００３３】
供給路１３０は、上流端がタンク１００の上部に接続されている。上述したように、供給路１３０の途中には、水道水導入路１１０の第２導入路１１０ｂが接続されており、接続部分には混合弁１４０が設けられている。第２導入路１１０ｂとの接続部より下流側の供給路１３０には、燃焼機ユニット８の燃焼機２００（後述）が介装されている。供給路１３０の下流端は温水利用箇所（例えば台所、浴槽等）に接続されている。
【００３４】
タンク制御部１８０は、タンクユニット６の各要素機器と電気的に接続されており、各要素機器の動作を制御する。また、タンク制御部１８０は、ヒートポンプユニット４のヒートポンプ制御部８０、及び、燃焼機ユニット８の燃焼機制御部２８０と相互に通信可能に設けられている。
【００３５】
（燃焼機ユニット８の構成）
燃焼機ユニット８は、燃焼機２００と、燃焼機制御部２８０とを備える。
【００３６】
燃焼機２００は、燃料（例えば、燃料ガス）を燃焼させた熱によって、上述の供給路１３０を通過する温水を加熱する補助熱源機である。また、燃焼機２００より下流側の供給路１３０には、サーミスタ２１０が介装されている。サーミスタ２１０は、温水利用箇所へ供給される温水の温度を検出する。燃焼機２００は、サーミスタ２１０が検出する温水の温度が、給湯設定温度と一致するように、供給路１３０内の水を加熱する。上記の通り、供給路１３０の下流端は、温水利用箇所に接続されている。
【００３７】
燃焼機制御部２８０は、燃焼機ユニット８の各要素機器と電気的に接続されており、各要素機器の動作を制御する。上記の通り、燃焼機制御部２８０は、ヒートポンプ制御部８０及びタンク制御部１８０と相互に通信可能である。
【００３８】
以下では、ヒートポンプ制御部８０と、タンク制御部１８０と、燃焼機制御部２８０とを総称して単に「制御部」と呼ぶ場合がある。
【００３９】
次いで、本実施例の給湯システム２の動作について説明する。給湯システム２は、蓄熱運転及び給湯運転を実行することができる。以下、各運転について説明する。
【００４０】
（蓄熱運転）
蓄熱運転は、ヒートポンプ４０により、タンク１００内の水を加熱する運転である。制御部によって蓄熱運転の実行が指示されると、ヒートポンプ４０が動作を開始する（即ち、圧縮機４４及びファン４３を動作させる）とともに、循環ポンプ７２が回転する。循環ポンプ７２が回転すると、タンク水循環路７０内をタンク１００内の水が循環する。即ち、タンク１００の下部に存在する水がタンク水循環路７０内に導入され、導入された水がヒートポンプ４０内の凝縮器４５を通過する際に、冷媒の熱によって加熱され、加熱された水がタンク１００の上部に戻される。これにより、タンク１００に高温の水が貯められる。タンク１００の上部には、高温の水の層が形成され、下部には、低温の水の層が形成される。
【００４１】
（給湯運転）
給湯運転は、タンク１００内の水を温水利用箇所に供給する運転である。給湯運転は、上記の蓄熱運転中にも実行することができる。温水利用箇所の給湯栓が開かれると、水道水供給源１１２からの水圧によって、水道水導入路１１０（第１導入路１１０ａ）からタンク１００の下部に水道水が流入する。同時に、タンク１００上部の温水が、供給路１３０を介して温水利用箇所に供給される。
【００４２】
制御部は、タンク１００から供給路１３０に供給される水の温度（即ち、サーミスタ１０２の測定温度）が、給湯設定温度より高い場合には、混合弁１４０を開いて第２導入路１１０ｂから供給路１３０に水道水を導入する。従って、タンク１００から供給された水と第２導入路１１０ｂから供給された水道水とが、供給路１３０内で混合される。制御部は、温水利用箇所に供給される水の温度が、給湯設定温度と一致するように、混合弁１４０の開度を調整する。一方、制御部は、タンク１００から供給路１３０に供給される水の温度が、給湯設定温度より低い場合には、燃焼機２００を作動させる。従って、供給路１３０を通過する水が燃焼機２００によって加熱される。制御部は、温水利用箇所に供給される水の温度が、給湯設定温度と一致するように、燃焼機２００の出力を制御する。
【００４３】
本実施例では、ヒートポンプ制御部８０は、ヒートポンプ４０の動作が開始される場合に、通常制御処理（図示省略）と、電流値制御処理（図３参照）と、を並行して実行する。即ち、通常制御処理を主処理として実行しながらヒートポンプ４０を動作させるとともに、電流値制御処理の結果を利用してヒートポンプ４０の動作を補正する。以下、各処理について説明する。
【００４４】
（通常制御処理）
通常制御処理は、タンク１００内の水を所定の沸上げ設定温度（例えば４５℃）に加熱するためにヒートポンプ制御部８０が実行する処理である。蓄熱運転を行うためにヒートポンプ４０が動作を開始（即ち、圧縮機４４及びファン４３が動作を開始）し、循環ポンプ７２が回転すると、ヒートポンプ制御部８０は、通常制御を開始する。ヒートポンプ制御部８０は、サーミスタ６０、６４、６６の検出温度ＴＨ５、ＴＨ７、ＴＨ８を監視し、出湯温ＴＨ８（即ちヒートポンプ４０による加熱後の温水の温度）が所定の沸上げ設定温度以上であることを監視する。出湯温ＴＨ８が沸上げ設定温度を下回る場合（例えば、ヒートポンプ４０の動作開始直後や、急に入水温ＴＨ７が低下した場合等）、ヒートポンプ制御部８０は、圧縮機４４の回転数の増加（即ちヒートポンプ４０による加熱能力の増加）が必要な状況であると判断する。この場合、後述の電流値制御処理（図３）において、回転数の増加が許可されれば（Ｓ８０）、ヒートポンプ制御部８０は、圧縮機４４の回転数を増加させる。また、ヒートポンプ制御部８０は、出湯温ＴＨ８が沸上げ設定温度を所定の閾値以上（例えば１０℃以上）上回ることも監視する。出湯温ＴＨ８が沸上げ設定温度を所定の閾値以上上回る場合（例えば、急に入水温ＴＨ７が上昇した場合等）、ヒートポンプ制御部８０は、圧縮機４４の回転数の減少が必要な状況であると判断する。この場合、ヒートポンプ制御部８０は、圧縮機４４の回転数を減少させる。このように、通常制御処理において、ヒートポンプ制御部８０は、必要に応じて圧縮機４４の回転数を増減させながら、タンク１００内の水が所定の沸上げ設定温度（例えば４５℃）に到達するように加熱する。ヒートポンプ制御部８０は、ヒートポンプ４０が動作している間、上記のような通常制御処理を継続して実行する。
【００４５】
（電流値制御処理）
続いて、図３を参照して、電流値制御処理の内容を説明する。電流値制御処理は、ヒートポンプ４０の動作時に、給湯システム２（即ち、ヒートポンプユニット４、タンクユニット６、及び、燃焼機ユニット８）に流れる電流の合計値であるシステム使用電流値が、屋外コンセント１６の定格電流（例えば１５Ａ）を超える事態を抑制するために、屋外コンセント１６の一の差込口に接続されて利用されるヒートポンプユニット４の使用電流値（以下では「ユニット使用電流値」と呼ぶ場合がある）が、予め定められた最大値（以下では「規程電流」と呼ぶ場合がある。例えば１０Ａ）を超えないよう、ヒートポンプ制御部８０が実行する処理である。蓄熱運転を行うためにヒートポンプ４０が動作を開始（即ち、圧縮機４４及びファン４３が動作を開始）し、循環ポンプ７２が回転すると、ヒートポンプ制御部８０は、上記の通常制御とともに、図３の電流値制御処理を開始する。
【００４６】
Ｓ１０では、ヒートポンプ制御部８０は、この時点におけるヒートポンプユニット４の使用電流値（即ち「ユニット使用電流値」）を特定する。具体的には、ヒートポンプ制御部８０は、ヒートポンプユニット４の各要素機器の使用電流値を検出し、それらを合計してユニット使用電流値を特定する。他の例では、ヒートポンプ制御部８０は、ヒートポンプユニット４の全使用電流値を検出することにより、ユニット使用電流値を特定してもよい。
【００４７】
Ｓ２０では、ヒートポンプ制御部８０は、ヒートポンプ４０の圧縮機４４の回転数の増加が必要な状況であるか否かを判断する。具体的には、ヒートポンプ制御部８０は、上述の通常制御処理において、圧縮機４４の回転数の増加が必要な状況であると判断されている否かを判断する。圧縮機４４の回転数の増加が必要な状況であると判断されている場合、ヒートポンプ制御部８０は、Ｓ２０でＹＥＳと判断してＳ３０に進む。一方、圧縮機４４の回転数の増加が必要な状況でないと判断されている場合、ヒートポンプ制御部８０は、Ｓ２０でＮＯと判断してＳ１０に戻る。
【００４８】
Ｓ３０では、ヒートポンプ制御部８０は、圧縮機４４の回転数を増加させる場合のユニット使用電流値の上昇値である予測上昇値を特定する。
【００４９】
具体的に言うと、Ｓ３０では、ヒートポンプ制御部８０は、現時点の圧縮機４４の回転数に応じて、回転数を所定数（例えば２００ｒｐｍ）増加させた場合における予測上昇値を特定する。増加前後の回転数の範囲に応じた予測上昇値の大きさは、実験結果等に基づいて予め定められている。例えば、増加前の回転数が２２００ｒｐｍであり、増加後の回転数が２４００ｒｐｍである場合、予測上昇値は０．２５Ａである。また、例えば、増加前の回転数が２６００ｒｐｍであり、増加後の回転数が２８００ｒｐｍである場合、予測上昇値は０．３０Ａである。また、例えば、増加前の回転数が３０００ｒｐｍであり、増加後の回転数が３２００ｒｐｍである場合、予測上昇値は０．４０Ａである。
【００５０】
他の例では、ヒートポンプ制御部８０は、さらに、外気温（ＴＨ６）、入水温（ＴＨ７）、沸上げ設定温度等を考慮して予め定められた予測上昇値を特定してもよい。
【００５１】
例えば、一般的に、ヒートポンプ４０は、増加前後の圧縮機４４の回転数が同じ場合であっても、外気温及び入水温が高くなるほど、圧縮機４４の運転圧力が高くなり、使用電流値が高くなる傾向がある。そのため、例えば、外気温が２５℃、入水温が２４℃、沸上げ設定温度が４５℃である場合（即ち夏期を想定）において、増加前の回転数が２２００ｒｐｍであり、増加後の回転数が２４００ｒｐｍである場合、ヒートポンプ制御部８０は、予測上昇値を０．２９Ａとして特定してもよい。また、例えば、外気温が１６℃、入水温が１７℃、沸上げ設定温度が４５℃である場合（即ち中間期）において、増加前の回転数が２２００ｒｐｍであり、増加後の回転数が２４００ｒｐｍである場合、ヒートポンプ制御部８０は、予測上昇値を０．２７Ａとして特定してもよい。また、例えば、外気温が７℃、入水温が９℃、沸上げ設定温度が４５℃である場合（即ち冬期）において、増加前の回転数が２２００ｒｐｍであり、増加後の回転数が２４００ｒｐｍである場合、ヒートポンプ制御部８０は、予測上昇値を０．２５Ａとして特定してもよい。
【００５２】
さらに、一般的に、ヒートポンプ４０は、増加前後の圧縮機４４の回転数が同じ場合であっても、沸き上げ設定温度が高くなるほど、圧縮機４４の運転圧力が高くなり、使用電流値が高くなる傾向がある。例えば、外気温が７℃、入水温が９℃、沸上げ設定温度が４５℃である場合において、増加前の回転数が２２００ｒｐｍであり、増加後の回転数が２４００ｒｐｍである場合、ヒートポンプ制御部８０は、予測上昇値を０．２５Ａとして特定してもよい。一方、例えば、外気温が７℃、入水温が９℃、沸上げ設定温度が６５℃である場合において、増加前の回転数が２２００ｒｐｍであり、増加後の回転数が２４００ｒｐｍである場合、ヒートポンプ制御部８０は、予測上昇値を０．４０Ａとして特定してもよい。
【００５３】
続くＳ４０では、ヒートポンプ制御部８０は、Ｓ１０で特定されたユニット使用電流値とＳ３０で特定された予測上昇値との合計値が、所定の第１閾値以上であるか否かを判断する。第１閾値は、屋外コンセント１６から電力供給を受ける給湯システム２（即ち、ヒートポンプユニット４、タンクユニット６、及び、燃焼機ユニット８）の合計使用電流値であるシステム使用電流値の上限値である第１上限値よりも小さい値である。本実施例では、屋外コンセント１６の定格電流が１５Ａであり、ヒートポンプユニット４の規程電流が１０Ａである状況を想定する。本実施例では、第１上限値は１０Ａであり、第１閾値は９Ａである。第１閾値（９Ａ）は、第１上限値（１０Ａ）から、予め定められている第１補正値（１Ａ）を除いた値であると言い換えることもできる。また、本実施例では第１上限値は、ヒートポンプユニット４の規程電流の値と同じ値（１０Ａ）であるが、他の例では、第１上限値は屋外コンセント１６の定格電流以下の値であれば、任意の値（例えば定格電流と同じ値）であってもよい。
【００５４】
ユニット使用電流値と予測上昇値との合計値が第１閾値以上である場合、ヒートポンプ制御部８０は、Ｓ４０でＹＥＳと判断し、Ｓ５０に進む。一方、ユニット使用電流値と予測上昇値との合計値が第１閾値より低い場合、ヒートポンプ制御部８０は、Ｓ４０でＮＯと判断し、Ｓ８０に進む。Ｓ８０では、ヒートポンプ制御部８０は、圧縮機４４の回転数の増加を許可する。Ｓ８０を終えると、ヒートポンプ制御部８０は、Ｓ１０に戻る。
【００５５】
Ｓ５０では、ヒートポンプ制御部８０は、圧縮機４４の回転数を維持する（即ち増加させない）。
【００５６】
続くＳ６０では、ヒートポンプ制御部８０は、出湯温（ＴＨ８）が沸上げ設定温度未満であるか否かを判断する。出湯温が沸上げ設定温度より高い場合（即ちヒートポンプ４０の加熱能力が不足していない場合）、ヒートポンプ制御部８０は、Ｓ６０でＮＯと判断し、Ｓ１０に戻る。一方、出湯温が沸上げ設定温度未満である場合（即ちヒートポンプ４０の加熱能力が不足している場合）、ヒートポンプ制御部８０は、Ｓ６０でＹＥＳと判断し、Ｓ７０に進む。
【００５７】
Ｓ７０では、ヒートポンプ制御部８０は、動作中の循環ポンプ７２の回転数を減少させる。これにより、タンク水循環路７０内を循環する水の流量が減少する。この結果、凝縮器４５で加熱される温水の流量も減少するが、これに伴い、出湯温を沸上げ設定温度以上の温度にし得る。タンク１００内に、沸上げ設定温度以上の温度の温水を貯め得る。Ｓ７０を終えると、ヒートポンプ制御部８０は、Ｓ１０に戻る。
【００５８】
ヒートポンプ制御部８０は、ヒートポンプ４０が動作している間、上記のＳ１０〜Ｓ８０の各処理を継続して実行する。
【００５９】
（第１実施例の作用効果）
以上、本実施例の給湯システム２の構成及び動作について説明した。上記の通り、本実施例では、ヒートポンプ制御部８０は、ヒートポンプ４０の圧縮機４４の回転数の増加が必要な状況において（Ｓ２０でＹＥＳ）、ユニット使用電流値と予測上昇値との合計値が第１閾値（本実施例では９Ａ）以上になると判断される場合（Ｓ４０でＹＥＳ）に、回転数を増加させずに維持する（Ｓ５０）。これにより、ユニット使用電流値の上昇を抑制することができる。その結果、システム使用電流値が第１上限値（本実施例では１０Ａ（ヒートポンプユニット４の規程電流の値））を超えることも抑制することができる。即ち、本実施例の給湯システム２によると、第１閾値及び第１上限値を適切に設定しておくことにより、給湯システム２に流れる電流が屋外コンセント１６の定格電流を超える事態の発生を適切に抑制することができる。
【００６０】
本実施例と請求項の記載との対応関係を記載しておく。ヒートポンプユニット４が「第１ユニット」の一例であり、タンクユニット６と燃焼機ユニット８の組合せが「第２ユニット」の一例である。配線２０が「第１電源系統」の一例であり、配線２２、２３が「第２電源系統」の一例である。Ｓ５０で実行される処理が「維持制御」の一例である。
【００６１】
（第２実施例）
図４を参照して第２実施例を説明する。本実施例は、第１実施例の変形例であるため、第１実施例と異なる点を中心に説明する。本実施例では、ヒートポンプ制御部８０が実行する電流値制御処理の内容の一部が第１実施例と異なる。具体的には、図４に示すように、本実施例では、ヒートポンプ制御部８０が、Ｓ１０でユニット使用電流値を特定した後で、Ｓ１５の処理に進む点が第１実施例と異なる。図４では、第１実施例（図３）の処理と同様の処理については同じステップ番号を用いて表している。
【００６２】
Ｓ１５では、ヒートポンプ制御部８０は、Ｓ１０で特定されたユニット使用電流値が第１閾値以上であるか否かを判断する。Ｓ１５の時点でユニット使用電流値が第１閾値以上である場合、ヒートポンプ制御部８０は、Ｓ１５でＹＥＳと判断し、Ｓ１６に進む。Ｓ１６では、ヒートポンプ制御部８０は、圧縮機４４の回転数を所定数（例えば２００ｒｐｍ）だけ減少させる。Ｓ１６を終えると、ヒートポンプ制御部８０は、Ｓ１０に戻る。一方、Ｓ１５の時点でユニット使用電流値が第１閾値より低い場合、ヒートポンプ制御部８０は、Ｓ１５でＮＯと判断し、Ｓ２０に進む。Ｓ２０〜Ｓ８０の各処理は第１実施例と同様であるため、詳しい説明は省略する。
【００６３】
（第２実施例の作用効果）
上記の通り、本実施例では、ヒートポンプ４０の動作中におけるユニット使用電流値が第１閾値以上である場合（Ｓ１５でＹＥＳ）に、圧縮機４４の回転数を減少させる（Ｓ１６）。圧縮機４４の回転数を減少させることにより、ユニット使用電流値を減少させることができる。その結果、ユニット使用電流値を第１閾値（本実施例では９Ａ）より低くし得る。それに伴って、システム使用電流値を第１上限値（本実施例では１０Ａ）より低くし得る。即ち、本実施例によると、ユニット使用電流値が第１閾値以上になった場合であっても、給湯システム２に流れる電流が屋外コンセント１６の定格電流を超える事態の発生を適切に抑制することができる。本実施例のＳ１６の処理が「減少制御」の一例である。
【００６４】
（第３実施例）
図５を参照して第３実施例を説明する。本実施例は、第２実施例の変形例であるため、第２実施例と異なる点を中心に説明する。本実施例でも、電流値制御処理の内容の一部が第２実施例と異なる。具体的には、図５に示すように、本実施例では、ヒートポンプ制御部８０が、Ｓ１０でユニット使用電流値を特定した後で、Ｓ１２の処理に進む点が第２実施例と異なる。図５でも、第１実施例（図３）、第２実施例（図４）の処理と同様の処理については同じステップ番号を用いて表している。
【００６５】
Ｓ１２では、ヒートポンプ制御部８０が、Ｓ１０で特定されたユニット使用電流値が、所定の第２閾値以上であるか否かを判断する。第２閾値は、上記の第１上限値よりも小さい値であるとともに、第１閾値よりも大きい値である。本実施例では、本実施例でも、屋外コンセント１６の定格電流が１５Ａであり、ヒートポンプユニット４の規程電流が１０Ａである状況を想定する。本実施例でも、第１上限値は１０Ａであり、第１閾値は９Ａである。そして、本実施例では、第２閾値は９．８Ａである。第２閾値（９．８Ａ）は、第１上限値（１０Ａ）から、予め定められている第２補正値（０．２Ａ）を除いた値であると言い換えることもできる。
【００６６】
Ｓ１２の時点でユニット使用電流値が第２閾値以上である場合、ヒートポンプ制御部８０は、Ｓ１２でＹＥＳと判断し、Ｓ１３に進む。Ｓ１３では、ヒートポンプ制御部８０は、圧縮機４４を停止させる。この際、ヒートポンプ制御部８０は、ファン４３及び循環ポンプ７２も停止させる。これにより、ヒートポンプ４０が動作を停止し、蓄熱運転が終了する。Ｓ１３を終えると、ヒートポンプ制御部８０は、図５の電流値制御処理を終了する。ヒートポンプ制御部８０は、電流値制御処理と並行して実行していた通常制御処理も併せて終了させる。再び蓄熱処理が開始され、ヒートポンプ４０が再び動作を開始すると、ヒートポンプ制御部８０は、再び、通常処理、及び、電流値制御処理を開始する。
【００６７】
一方、Ｓ１２の時点でユニット使用電流値が第２閾値より低い場合、ヒートポンプ制御部８０は、Ｓ１２でＮＯと判断し、Ｓ１５に進む。Ｓ１５〜Ｓ８０の各処理は第２実施例と同様であるため、詳しい説明は省略する。
【００６８】
（第３実施例の作用効果）
本実施例では、ヒートポンプ制御部８０は、ユニット使用電流値が第２閾値以上である場合（Ｓ１２でＹＥＳ）に、ヒートポンプ４０の圧縮機４４を停止させる。圧縮機４４を停止させることにより、ユニット使用電流値が第１上限値（本実施例では１０Ａ）を上回る事態の発生を抑制することができる。即ち、本実施例によると、第２閾値（本実施例では９．８Ａ）及び第１上限値を適切に設定しておくことにより、ユニット使用電流値が第２閾値以上になった場合であっても、給湯システム２に流れる電流が屋外コンセント１６の定格電流を超える事態の発生を適切に抑制することができる。本実施例のＳ１３の処理が「停止制御」の一例である。
【００６９】
（第４実施例）
図６〜図８を参照して第４実施例を説明する。本実施例は、第３実施例の変形例であるため、第３実施例と異なる点を中心に説明する。本実施例でも、電流値制御処理の内容の一部が第３実施例とは異なる。図６でも、第１実施例（図３）、第２実施例（図４）、第３実施例（図５）の処理と同様の処理については同じステップ番号を用いて表している。図６に示すように、本実施例では、ヒートポンプ制御部８０が、Ｓ１５でＮＯと判断する場合に、Ｓ２０（図５参照）に代えて、Ｓ１２０に進む。Ｓ１２０では、ヒートポンプ制御部８０は、予測電流値差算出処理（図７参照）を実行する。予測電流値差は、ヒートポンプ制御部８０が算出した前回のユニット使用電流値の予測値と、今回のユニット使用電流値の予測値との差分である。ユニット使用電流値と予測電流値差を合計することで、変化後のユニット使用電流値の予測値が高精度で得られ得る。予測電流値差算出処理の内容は後で詳しく説明する（図７参照）。Ｓ１２０で予測電流値差算出処理を終え、予測電流値差が算出されると、ヒートポンプ制御部８０は、Ｓ１４０に進む。
【００７０】
Ｓ１４０では、ヒートポンプ制御部８０は、Ｓ１０で特定されたユニット使用電流値と、Ｓ１２０の予測電流値差算出処理において算出された予測電流値差との合計値が、第１閾値以上であるか否かを判断する。ユニット使用電流値と予測電流値差との合計値が第１閾値以上である場合、ヒートポンプ制御部８０は、Ｓ１４０でＹＥＳと判断し、Ｓ１５０に進む。Ｓ１５０では、ヒートポンプ制御部８０は、必要と判断されている要素機器の動作状態の変更（ここでは、例えば、圧縮機４４の回転数の増加、ファン４３の回転数の増加、循環ポンプ７２の回転数の増加等、使用電流値の増加を伴う変更）を実行させずに、要素機器の動作状態を維持する。Ｓ１５０を終えると、Ｓ６０に進む。その後のＳ６０、Ｓ７０の処理内容は第１実施例と同様であるため詳しい説明は省略する。
【００７１】
一方、ユニット使用電流値と予測電流値差との合計値が第１閾値より低い場合、ヒートポンプ制御部８０は、Ｓ１４０でＮＯと判断し、Ｓ１８０に進む。Ｓ１８０では、ヒートポンプ制御部８０は、必要と判断されている要素機器の動作状態の変更（ここでは、圧縮機４４の回転数の増減、ファン４３の回転数の増減、膨張弁４６の開度の変更、循環ポンプ７２の回転数の増減等、あらゆる要素機器の動作状態の変更）を許可する。Ｓ１８０を終えると、ヒートポンプ制御部８０は、Ｓ１０に戻る。
【００７２】
（予測電流値差算出処理）
続いて、図７を参照して、予測電流値差算出処理（図６のＳ１２０）の内容を説明する。予測電流値差算出処理は、ヒートポンプユニット４の各部の温度（即ちＴＨ１〜ＴＨ８）、及び、各要素機器（圧縮機４４、膨張弁４６、ファン４３、循環ポンプ７２等）の状態に基づいて、ユニット使用電流値の予測値の変化量（増減）を表わす予測電流値差を算出するための処理である。
【００７３】
Ｓ２００では、ヒートポンプ制御部８０は、この時点におけるヒートポンプユニット４の各部の温度を特定する。具体的には、Ｓ２００では、ヒートポンプ制御部８０は、サーミスタ５２〜６６の各検出温度（ＴＨ１〜ＴＨ８）を特定する。
【００７４】
続くＳ２０２では、ヒートポンプ制御部８０は、ヒートポンプユニット４のいずれかの要素機器の動作状態の変更が必要な状況であるか否かを判断する。具体的には、ヒートポンプ制御部８０は、上述の通常制御処理において、ヒートポンプ４０による加熱能力、又は、加熱される水の流量の変更が必要な状況であり、いずれかの要素機器の動作状態の変更が必要と判断されている場合、ヒートポンプ制御部８０は、Ｓ２０２でＹＥＳと判断してＳ２２０に進む。一方、要素機器の動作状態の変更が必要な状況でないと判断されている場合、ヒートポンプ制御部８０は、Ｓ２０２でＮＯと判断してＳ２０４に進む。
【００７５】
Ｓ２０４では、ヒートポンプ制御部８０は、この時点のヒートポンプユニット４の各要素機器の状態を特定する。具体的には、ヒートポンプ制御部８０は、圧縮機４４の回転数、膨張弁４６の開度、ファン４３の回転数、及び、循環ポンプ７２の回転数を特定する。Ｓ２０４を終えると、ヒートポンプ制御部８０は、Ｓ２０６に進む。
【００７６】
一方、Ｓ２２０では、ヒートポンプ制御部８０は、この時点のヒートポンプユニット４の各要素機器の状態を特定するとともに、行われるべき要素機器の動作状態の変更内容を特定する。次いで、Ｓ２２２では、ヒートポンプ制御部８０は、温度補正処理（図８参照）を実行する。温度補正処理は、行われるべき要素機器の動作状態の変更を反映させた場合を想定して、Ｓ２００で特定された各温度の値の一部（具体的にはＴＨ１、ＴＨ２、ＴＨ４、ＴＨ５のうちの少なくとも１つ）を補正するための処理である。補正後の温度の値は、Ｓ２０６以降で実行される計算に反映される。温度補正処理の内容は後で詳しく説明する（図８参照）。Ｓ２２２で温度補正処理を終えると、ヒートポンプ制御部８０は、Ｓ２０６に進む。
【００７７】
Ｓ２０６では、ヒートポンプ制御部８０は、圧縮機入力Ｑｃ（単位はＷ）を算出する。圧縮機入力Ｑｃは、ＴＨ１、ＴＨ２、ＴＨ４、ＴＨ５の各温度の値を用いて算出される。ＴＨ１、ＴＨ２、ＴＨ４、ＴＨ５が温度補正処理による補正後の値である場合、補正後の各温度の値を用いて圧縮機入力Ｑｃが算出される。
【００７８】
具体的には、Ｓ２０６では、ヒートポンプ制御部８０は、以下の手順で圧縮機入力Ｑｃを算出する。まず、ヒートポンプ制御部８０は、ＴＨ１、ＴＨ２、ＴＨ４、ＴＨ５の各温度の値と、公知のモリエル線図（即ちｐ−ｈ線図）とを用いて、エンタルピーｈ１、ｈ２の値を特定し、ｈ２−ｈ１の値（即ち圧縮機４４の仕事量）を算出する。そして、ヒートポンプ制御部８０は、所定の関数に圧縮機４４の回転数を代入し、冷媒循環量を算出する。この際、ヒートポンプ制御部８０は、圧縮機４４の回転数の変更が必要な場合には、所定の関数に、変更後の回転数を代入して冷媒循環量を算出する。次いで、ヒートポンプ制御部８０は、冷媒循環量と、ｈ２−ｈ１の値との積を算出することにより、圧縮機入力Ｑｃを算出する。
【００７９】
続くＳ２０８では、ヒートポンプ制御部８０は、循環ポンプ入力Ｑｐ（単位はＷ）を算出する。循環ポンプ入力Ｑｐは、循環ポンプ７２の回転数と、温度値ＴＨ７の値（即ち入水温）を所定の関数に代入することによって算出される。この際、ヒートポンプ制御部８０は、循環ポンプ７２の回転数の変更が必要な場合には、所定の関数に、変更後の回転数を代入して、循環ポンプ入力Ｑｐを算出する。
【００８０】
続くＳ２１０では、ヒートポンプ制御部８０は、ファン入力Ｑｆ（単位はＷ）を算出する。ファン入力Ｑｆは、ファン４３の回転数と、温度値ＴＨ６の値（即ち外気温）を所定の関数に代入することによって算出される。この際、ヒートポンプ制御部８０は、ファン４３の回転数の変更が必要な場合には、所定の関数に、変更後の回転数を代入して、ファン入力Ｑｆを算出する。
【００８１】
上記の通り、ヒートポンプ制御部８０は、Ｓ２０６〜Ｓ２１０の各処理を実行し、圧縮機入力Ｑｃ、循環ポンプ入力Ｑｐ、及び、ファン入力Ｑｆをそれぞれ算出する。なお、ヒートポンプ制御部８０は、膨張弁入力は算出しない。膨張弁４６の動作時間は短時間であり、ユニット使用電流値に与える影響が小さく、考慮の必要性が小さいためである。
【００８２】
Ｓ２１２では、ヒートポンプ制御部８０は、予測電流値Ｉを算出し、記憶する。予測電流値Ｉは、圧縮機入力Ｑｃと、循環ポンプ入力Ｑｐと、ファン入力Ｑｆとの合計値を、電源電圧Ｖ（本実施例では１００Ｖ）で除することによって算出される。ヒートポンプ制御部８０は、予測電流値Ｉを算出すると、算出された予測電流値Ｉを記憶する。
【００８３】
Ｓ２１４では、ヒートポンプ制御部８０は、予測電流値差を算出する。具体的には、Ｓ２１４では、ヒートポンプ制御部８０は、記憶している前回の予測電流値Ｉと、Ｓ２１２で記憶した予測電流値Ｉとの差を求めることにより、予測電流値差を算出する。Ｓ２１４で予測電流値差が算出されると、ヒートポンプ制御部８０は、図７の予測電流値差算出処理（図６のＳ１２０）を終了する。
【００８４】
（温度補正処理）
続いて、図８を参照して、温度補正処理の内容を説明する。上記の通り、温度補正処理は、行われるべき要素機器の動作状態の変更を反映させた場合を想定して、Ｓ２００で特定された各温度の値の一部（具体的にはＴＨ１、ＴＨ２、ＴＨ４、ＴＨ５のうちの少なくとも１つ）を補正するための処理である。
【００８５】
図８の温度補正処理が開始されると、ヒートポンプ制御部８０は、上記の図７のＳ２０２で特定された要素機器の変更内容に関するＳ３００、Ｓ３０２、Ｓ３１０、Ｓ３１２、Ｓ３２０、Ｓ３２２、Ｓ３３０、Ｓ３３２、の各判断を実行する。図８の温度補正処理では、ヒートポンプ制御部８０は、Ｓ３００、Ｓ３０２、Ｓ３１０、Ｓ３１２、Ｓ３２０、Ｓ３２２、Ｓ３３０、Ｓ３３２の少なくとも１つでＹＥＳと判断する。ヒートポンプ制御部８０は、まず、Ｓ３００、３０２の判断を実行する。
【００８６】
Ｓ３００では、ヒートポンプ制御部８０は、要素機器の変更内容が「ファン４３の回転数の増加」であるか否かを判断する。要素機器の変更内容が「ファン４３の回転数の増加」である場合、ヒートポンプ制御部８０は、Ｓ３００でＹＥＳと判断し、Ｓ３０４に進む。Ｓ３０４では、ヒートポンプ制御部８０は、特定されている蒸発温（ＴＨ４）の値を所定値分だけ高く補正（即ち上昇補正）する。ファン４３の回転数が増加すると、外気からの吸熱量が増加すると予測されるためである。Ｓ３０４を終えると、ヒートポンプ制御部８０は、Ｓ３１０以降の処理に進む。
【００８７】
Ｓ３０２では、要素機器の変更内容が「ファン４３の回転数の減少」であるか否かを判断する。要素機器の変更内容が「ファン４３の回転数の減少」である場合、ヒートポンプ制御部８０は、Ｓ３０２でＹＥＳと判断し、Ｓ３０６に進む。Ｓ３０６では、ヒートポンプ制御部８０は、特定されている蒸発温（ＴＨ４）の値を所定値分だけ低く補正（即ち低下補正）する。ファン４３の回転数が減少すると、外気からの吸熱量が減少すると予測されるためである。Ｓ３０６を終えると、ヒートポンプ制御部８０は、Ｓ３１０以降の処理に進む。
【００８８】
また、ヒートポンプ制御部８０は、Ｓ３００、Ｓ３０２のいずれにおいてもＮＯと判断される場合（即ち、変更内容がファン４３の回転数に関わるものではない場合）も、Ｓ３１０以降の処理に進む。
【００８９】
続いて、ヒートポンプ制御部８０は、Ｓ３１０、３１２の判断を実行する。Ｓ３１０では、要素機器の変更内容が「循環ポンプ７２の回転数の増加」であるか否かを判断する。要素機器の変更内容が「循環ポンプ７２の回転数の増加」である場合、ヒートポンプ制御部８０は、Ｓ３１０でＹＥＳと判断し、Ｓ３１４に進む。Ｓ３１４では、ヒートポンプ制御部８０は、特定されている凝縮温（ＴＨ５）の値を低下補正する。循環ポンプ７２の回転数が増加すると、タンク１００から凝縮器４５に送り込まれる水の流量が増加し、水への放熱量が増加するためである。Ｓ３１４を終えると、ヒートポンプ制御部８０は、Ｓ３２０以降の処理に進む。
【００９０】
Ｓ３１２では、要素機器の変更内容が「循環ポンプ７２の回転数の減少」であるか否かを判断する。要素機器の変更内容が「循環ポンプ７２の回転数の減少」である場合、ヒートポンプ制御部８０は、Ｓ３１２でＹＥＳと判断し、Ｓ３１６に進む。Ｓ３１６では、ヒートポンプ制御部８０は、特定されている凝縮温（ＴＨ５）の値を上昇補正する。循環ポンプ７２の回転数が減少すると、タンク１００から凝縮器４５に送り込まれる水の流量が減少し、水への放熱量が減少するためである。Ｓ３１６を終えると、ヒートポンプ制御部８０は、Ｓ３２０以降の処理に進む。
【００９１】
また、ヒートポンプ制御部８０は、Ｓ３１０、Ｓ３１２のいずれにおいてもＮＯと判断される場合（即ち、変更内容が循環ポンプ７２の回転数に関わるものではない場合）も、Ｓ３２０以降の処理に進む。
【００９２】
続いて、ヒートポンプ制御部８０は、Ｓ３２０、３２２の判断を実行する。Ｓ３２０では、要素機器の変更内容が「膨張弁４６の開度の増加」であるか否かを判断する。要素機器の変更内容が「膨張弁４６の開度の増加」である場合、ヒートポンプ制御部８０は、Ｓ３２０でＹＥＳと判断し、Ｓ３２４に進む。Ｓ３２４では、ヒートポンプ制御部８０は、特定されている凝縮温（ＴＨ５）の値を低下補正し、蒸発温（ＴＨ４）の値を上昇補正し、圧縮機吐出温（ＴＨ１）の値を低下補正し、圧縮機吸込温（ＴＨ２）の値を低下補正する。なお、図８では、圧縮機吐出温、圧縮機吸込温のことを、それぞれ「吐出温」、「吸込温」と省略して記載している。膨張弁４６の開度が増加すると、膨張弁４６を通過する冷媒の流量が増加するためである。Ｓ３２４を終えると、ヒートポンプ制御部８０は、Ｓ３３０以降の処理に進む。
【００９３】
Ｓ３２２では、要素機器の変更内容が「膨張弁４６の開度の減少」であるか否かを判断する。要素機器の変更内容が「膨張弁４６の開度の減少」である場合、ヒートポンプ制御部８０は、Ｓ３２２でＹＥＳと判断し、Ｓ３２６に進む。Ｓ３２６では、ヒートポンプ制御部８０は、特定されている凝縮温（ＴＨ５）の値を上昇補正し、蒸発温（ＴＨ４）の値を低下補正し、圧縮機吐出温（ＴＨ１）の値を上昇補正し、圧縮機吸込温（ＴＨ２）の値を上昇補正する。膨張弁４６の開度が減少すると、膨張弁４６を通過する冷媒の流量が減少するためである。Ｓ３２６を終えると、ヒートポンプ制御部８０は、Ｓ３３０以降の処理に進む。
【００９４】
また、ヒートポンプ制御部８０は、Ｓ３２０、Ｓ３２２のいずれにおいてもＮＯと判断される場合（即ち、変更内容が膨張弁４６の開度に関わるものではない場合）も、Ｓ３３０以降の処理に進む。
【００９５】
続いて、ヒートポンプ制御部８０は、Ｓ３３０、３３２の判断を実行する。Ｓ３３０では、要素機器の変更内容が「圧縮機４４の回転数の増加」であるか否かを判断する。要素機器の変更内容が「圧縮機４４の回転数の増加」である場合、ヒートポンプ制御部８０は、Ｓ３３０でＹＥＳと判断し、Ｓ３３４に進む。Ｓ３３４では、ヒートポンプ制御部８０は、特定されている凝縮温（ＴＨ５）の値を上昇補正し、蒸発温（ＴＨ４）の値を低下補正し、圧縮機吐出温（ＴＨ１）の値を上昇補正し、圧縮機吸込温（ＴＨ２）の値を低下補正する。圧縮機４４の回転数が増加すると、圧縮機４４における冷媒の温度上昇幅が増加するためである。Ｓ３３４を終えると、ヒートポンプ制御部８０は、図８の処理を終了する。
【００９６】
Ｓ３３２では、要素機器の変更内容が「圧縮機４４の回転数の減少」であるか否かを判断する。要素機器の変更内容が「圧縮機４４の回転数の減少」である場合、ヒートポンプ制御部８０は、Ｓ３３２でＹＥＳと判断し、Ｓ３３６に進む。Ｓ３３６では、ヒートポンプ制御部８０は、特定されている凝縮温（ＴＨ５）の値を低下補正し、蒸発温（ＴＨ４）の値を上昇補正し、圧縮機吐出温（ＴＨ１）の値を低下補正し、圧縮機吸込温（ＴＨ２）の値を上昇補正する。圧縮機４４の回転数が減少すると、圧縮機４４における冷媒の温度上昇幅が減少するためである。Ｓ３３６を終えると、ヒートポンプ制御部８０は、図８の処理を終了する。
【００９７】
また、ヒートポンプ制御部８０は、Ｓ３３０、Ｓ３３２のいずれにおいてもＮＯと判断される場合（即ち、変更内容が圧縮機４４の回転数に関わるものではない場合）も、図８の処理を終了する。
【００９８】
（第４実施例の作用効果）
以上、本実施例の給湯システム２の構成及び動作について説明した。上記の通り、本実施例では、ヒートポンプ制御部８０は、図７、図８の各処理を実行することにより、各要素機器の動作状態、及び、ヒートポンプユニット４の各部の温度（ＴＨ１〜ＴＨ８）を利用して、要素機器の動作状態の変更が必要な状況で要素機器の動作状態を変更させた場合におけるユニット使用電流値の変化量である予測電流値差を、ヒートポンプユニット４の現状に基づいて適切に算出することができる。そして、ヒートポンプ制御部８０はユニット使用電流値及び予測電流値差の合計値と、第１閾値との比較を行う。この比較の際、ヒートポンプ制御部８０は、前回の予測電流値と今回の予測電流値との差分である予測電流値差を用いる。そのため、仮に、各回の予測電流値の算出精度がそれほど高くない場合であっても、前回との差分である予測電流値差は、比較的高精度で特定され得るため、ヒートポンプ制御部８０は、ユニット使用電流値及び予測電流値差の合計値と、第１閾値との比較を適切に行い得る。従って、本実施例では、ヒートポンプ制御部８０は、ユニット使用電流値及び予測電流値差の合計値と、第１閾値との比較を行って（図６のＳ１４０）、要素機器の動作状態を変更させるか否かを切り替える（Ｓ１５０、Ｓ１８０）ことにより、給湯システム２に流れる電流が屋外コンセント１６の定格電流を超える事態の発生を適切に抑制することができる。
【００９９】
（第５実施例）
図９、図１０を参照して、第５実施例を説明する。本実施例は、第３実施例の変形例であるため、第３実施例と異なる点を中心に説明する。本実施例でも、電流値制御処理の内容の一部が第３実施例と異なる。具体的には、図９に示すように、本実施例では、ヒートポンプ制御部８０が、Ｓ１０でユニット使用電流値を特定した後で、Ｓ１２の処理に進む前に、Ｓ１１において閾値補正処理（図１０参照）を実行する点が第３実施例と異なる。図９でも、第３実施例（図５）の処理と同様の処理については同じステップ番号を用いて表している。Ｓ１１で実行される閾値補正処理（図１０参照）は、その後の各処理（即ち、Ｓ１２、Ｓ１５、Ｓ４０の各判断）で使用される第１閾値、第２閾値の値を決定するための処理である。即ち、本実施例では、Ｓ１１の閾値補正処理で決定された第１閾値、第２閾値の値を用いて、Ｓ１２、Ｓ１５、Ｓ４０の各判断が実行される。
【０１００】
（閾値補正処理）
続いて、図１０を参照して、閾値補正処理（図９のＳ１１）の内容を説明する。Ｓ４００では、ヒートポンプ制御部８０は、全機器使用電流値を特定する。全機器使用電流値とは、分岐ブレーカー１４ａによって分岐される分岐回路（以下では「特定分岐回路」と呼ぶ場合がある）に接続されている全ての端末機器（即ち、図１の端末機器１９、ヒートポンプユニット４、タンクユニット６、燃焼機ユニット８。以下では「全機器」と呼ぶ場合がある）の使用電流値の合計値である。Ｓ４００において、ヒートポンプ制御部８０は、分電盤１１に設けられている分電盤制御部（図示しない）と通信を行うことにより、全機器使用電流値を特定することができる。
【０１０１】
続くＳ４０２では、ヒートポンプ制御部８０は、システム使用電流値を特定する。システム使用電流値は、上記の通り、給湯システム２（即ち、ヒートポンプユニット４、タンクユニット６、燃焼機ユニット８）の使用電流値である。Ｓ４０２において、ヒートポンプ制御部８０は、タンク制御部１８０及び燃焼機制御部２８０と通信を行うことにより、タンクユニット６及び燃焼機ユニット８における使用電流値を特定する。そして、ヒートポンプ制御部８０は、Ｓ１０（図９参照）で特定されたユニット使用電流値と、タンクユニット６及び燃焼機ユニット８における使用電流値とを合計し、システム使用電流値を特定する。
【０１０２】
続くＳ４０４では、ヒートポンプ制御部８０は、システム外使用電流値を特定する。システム外使用電流値は、特定分岐回路に接続されている全機器のうち、給湯システム２（即ち、ヒートポンプユニット４、タンクユニット６、燃焼機ユニット８）を除いた機器（図１の例では端末機器１９。以下では「システム外機器」と呼ぶ場合がある）の使用電流値である。そのため、Ｓ４０４において、ヒートポンプ制御部８０は、Ｓ４００で特定された全機器使用電流値とＳ４０２で特定されたシステム使用電流値を除いた値をシステム外使用電流値として特定する。
【０１０３】
続くＳ４０６では、ヒートポンプ制御部８０は、第２上限値を算出する。第２上限値は、全機器の使用電流値の上限値である全機器上限値から、Ｓ４０４で特定されたシステム外使用電流値を除いた値である。本実施例では、全機器上限値は、特定分岐回路の定格電流（即ち、分岐ブレーカー１４ａの作動電流）である２０Ａに設定されているが、他の例では、全機器上限値はこれ以外の値であってもよい。例えば、システム外使用電流値が１２Ａであった場合、Ｓ４０６では、ヒートポンプ制御部８０は、２０Ａ（全機器上限値）から１２Ａ（システム外使用電流値）を除いた値である８Ａを第２上限値として算出する。
【０１０４】
Ｓ４０８では、ヒートポンプ制御部８０は、Ｓ４０６で算出された第２上限値が、予め定められている第１上限値以下であるか否かを判断する。本実施例でも、第１上限値は１０Ａに定められているが、他の例では、第１上限値は他の値でもよい。第２上限値が第１上限値（本実施例では１０Ａ）以下である場合（例えば第２上限値が８Ａである場合）、ヒートポンプ制御部８０は、Ｓ４０８でＹＥＳと判断し、Ｓ４１０に進む。一方、第２上限値が第１上限値（本実施例では１０Ａ）より大きい場合（例えば第２上限値が１５Ａである場合）、ヒートポンプ制御部８０は、Ｓ４０８でＮＯと判断し、Ｓ４２０に進む。
【０１０５】
Ｓ４１０では、ヒートポンプ制御部８０は、第２上限値から、予め定められた第１補正値（例えば１Ａ）を除くことにより、第１閾値を算出する。例えば第２上限値が８Ａであった場合、Ｓ４１０で算出される第１閾値は７Ａである。
【０１０６】
続くＳ４１２では、ヒートポンプ制御部８０は、第２上限値から、予め定められた第２補正値（例えば０．２Ａ）を除くことにより、第２閾値を算出する。例えば第２上限値が８Ａであった場合、Ｓ４１２で算出される第２閾値は７．８Ａである。Ｓ４１２を終えると、ヒートポンプ制御部８０は、図１０の閾値補正処理を終了する。この場合、ヒートポンプ制御部８０は、Ｓ４１０、Ｓ４１２で算出された第１閾値及び第２閾値を用いて、図９のＳ１２、Ｓ１５、Ｓ４０の各処理を実行する。
【０１０７】
一方、Ｓ４２０では、ヒートポンプ制御部８０は、予め定められた第１上限値から、予め定められた第１補正値（例えば１Ａ）を除くことにより、第１閾値を算出する。本実施例では、第１上限値が１０Ａであるため、Ｓ４２０で算出される第１閾値は９Ａである。
【０１０８】
続くＳ４２２では、ヒートポンプ制御部８０は、第１上限値から、予め定められた第２補正値（例えば０．２Ａ）を除くことにより、第２閾値を算出する。本実施例では、第１上限値が１０Ａであるため、Ｓ４２０で算出される第２閾値は９．８Ａである。Ｓ４２２を終えると、ヒートポンプ制御部８０は、図１０の閾値補正処理を終了する。この場合、ヒートポンプ制御部８０は、Ｓ４２０、Ｓ４２２で算出された第１閾値及び第２閾値を用いて、図９のＳ１２、Ｓ１５、Ｓ４０の各処理を実行する。
【０１０９】
（第５実施例の作用効果）
本実施例では、ヒートポンプ制御部８０は、閾値補正処理（図１０参照）を実行して、第１閾値及び第２閾値を算出する。そのため、システム外使用電流値が大きい場合においても、システム使用電流値が第２上限値以上になることを抑制しながら、給湯システム２を動作させることができる（図１０のＳ４０８でＹＥＳ、Ｓ４１０、Ｓ４１２）。従って、本実施例によると、全機器使用電流値が全機器上限値を超えること、及び、システム使用電流値が第１上限値又は第２上限値以上になることを抑制しながら、全機器使用電流値を制御することができる。従って、給湯システム２に流れる電流が屋外コンセント１６の定格電流を超える事態、および分岐ブレーカー１４ａが電流を遮断する事態の発生を適切に抑制することができる。
【０１１０】
（第６実施例）
図１１を参照して、第６実施例を説明する。本実施例は、第４実施例の変形例であるため、第４実施例と異なる点を中心に説明する。本実施例でも、電流値制御処理の内容の一部が第４実施例と異なる。具体的には、図１１に示すように、本実施例でも、第５実施例と同様に、ヒートポンプ制御部８０が、Ｓ１０でユニット使用電流値を特定した後で、Ｓ１２の処理に進む前に、Ｓ１１において閾値補正処理（図１０参照）を実行する点が第４実施例と異なる。図１１でも、第４実施例（図６〜図８）の処理と同様の処理については同じステップ番号を用いて表している。本実施例では、Ｓ１１の閾値補正処理で決定された第１閾値、第２閾値の値を用いて、Ｓ１２、Ｓ１５、Ｓ１４０の各判断が実行される。Ｓ１１で実行される閾値補正処理（図１０参照）の内容は、第５実施例と同様であるため、詳しい説明は省略する。
【０１１１】
（第６実施例の作用効果）
本実施例でも、第５実施例と同様に、ヒートポンプ制御部８０は、閾値補正処理（図１０参照）を実行して、第１閾値及び第２閾値を算出する。そのため、本実施例の給湯システム２も、第５実施例と同様の作用効果を発揮することができる。
【０１１２】
以上、各実施例について詳細に説明したが、これらは例示に過ぎず、特許請求の範囲を限定するものではない。特許請求の範囲に記載の技術には、以上に例示した具体例を様々に変形、変更したものが含まれる。  
【０１１３】
（変形例１）上記の各実施例で説明した第１上限値（１０Ａ）、第１補正値（１Ａ）、第２補正値（０．２Ａ）、全機器上限値（２０Ａ）、の各値はいずれも一例である。第１上限値、第１補正値、第２補正値、全機器上限値、の各値は上述したもの以外であってもよい。
【０１１４】
（変形例２）上記の各実施例では、システム使用電流値は、ユニット使用電流値（即ち、ヒートポンプユニット４の使用電流値）と、タンクユニット６及び燃焼機ユニット８の使用電流値と、の合計値である。これに限られず、システム使用電流値は、ユニット使用電流値（即ち、ヒートポンプユニット４の使用電流値）と、タンクユニット６と燃焼機ユニット８の一方の使用電流値の合計値であってもよい。一般的に言うと、「第２ユニット」は、水を貯えるタンク、及び、水を加熱する燃焼機のうちの一方のみを含んでもよい。
【０１１５】
（変形例３）上記の第４、第６実施例では、ヒートポンプ制御部８０は、図７の予測電流値差算出処理を実行する。即ち、ヒートポンプ制御部８０は、ヒートポンプユニット４の各部の温度（ＴＨ１〜ＴＨ８）、及び、要素機器の動作状態に基づいて、予測電流値差を算出する。これに限られず、ヒートポンプ制御部８０は、ヒートポンプユニット４の各部の温度（ＴＨ１〜ＴＨ８）と、要素機器の動作状態と、の一方を使用して予測電流値差を算出するようにしてもよい。一般的に言うと、制御装置は、第１ユニットの各部の温度と、第１ユニットの要素機器の動作状態と、のうちの少なくとも一方の情報を利用して、回転数を増加させるべき状況で回転数を増加させた場合におけるユニット使用電流値を予測すればよい。
【０１１６】
（変形例４）上記の第４、第６実施例では、ヒートポンプ制御部８０は、ユニット使用電流値と予測電流値差との合計値と、第１閾値とを比較する（図６、図１１のＳ１４０参照）。これに限られず、第４、第６実施例では、ヒートポンプ制御部８０は、予測電流値（図７のＳ２１２参照）と第１閾値とを比較するようにしてもよい。
【０１１７】
（変形例５）上記の各実施例では、温水利用箇所に温水を供給する（即ち給湯を行う）給湯システム２の例を説明した。これに限られず、本明細書に開示の技術は、暖房に利用される暖房システムにも適用されてもよい。その場合、不凍液が「熱媒」の一例である。即ち、熱供給システムは、給湯システムに限られず、暖房システムであってもよい。
【０１１８】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１１９】
２：給湯システム
４：ヒートポンプユニット
６：タンクユニット
８：燃焼機ユニット
１０：商用電源
１１：分電盤
１２：主幹ブレーカー
１４ａ：分岐ブレーカー
１４ｂ：分岐ブレーカー
１４ｃ：分岐ブレーカー
１６：屋外コンセント
１８：屋内コンセント
１９：端末機器
２０：配線
２２：配線
２３：配線
２４：配線
２６：配線
２７：配線
２８：配線
４０：ヒートポンプ
４１：冷媒循環路
４２：蒸発器
４３：ファン
４４：圧縮機
４５：凝縮器
４６：膨張弁
５２：サーミスタ（ＴＨ１）
５４：サーミスタ（ＴＨ２）
５６：サーミスタ（ＴＨ３）
５８：サーミスタ（ＴＨ４）
６０：サーミスタ（ＴＨ５）
６２：サーミスタ（ＴＨ６）
６４：サーミスタ（ＴＨ７）
６６：サーミスタ（ＴＨ８）
７０：タンク水循環路
７２：循環ポンプ
８０：ヒートポンプ制御部
１００：タンク
１０２：サーミスタ
１０４：サーミスタ
１０６：サーミスタ
１０８：サーミスタ
１１０：水道水導入路
１１０ａ：第１導入路
１１０ｂ：第２導入路
１１２：水道水供給源
１３０：供給路
１４０混合弁
１８０：タンク制御部
２００：燃焼機
２１０：サーミスタ
２８０：燃焼機制御部
５００：建物
【図１】
2019132458.tif 000003
【図２】
2019132458.tif 000004
【図３】
2019132458.tif 000005
【図４】
2019132458.tif 000006
【図５】
2019132458.tif 000007
【図６】
2019132458.tif 000008
【図７】
2019132458.tif 000009
【図８】
2019132458.tif 000010
【図９】
2019132458.tif 000011
【図１０】
2019132458.tif 000012
【図１１】
2019132458.tif 000013